【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
平面視で枠状に形成された支持枠体と、
前記支持枠体の内側に設けられた振動体と、
前記振動体を前記支持枠体に支持させる第１橋梁部および第２橋梁部と、
前記振動体の変位時に電荷を発生させる電荷発生素子と、を備え、
前記支持枠体は、前記振動体に対して第１の側に配置された第１枠体部分と、前記振動体に対して前記第１の側とは反対の第２の側に配置された第２枠体部分と、を有し、
前記第１橋梁部は、前記振動体と前記第１枠体部分とを連結し、
前記第２橋梁部は、前記振動体と前記第２枠体部分とを連結し、
前記電荷発生素子が、前記第１橋梁部上に設けられた下部電極層と、前記下部電極層上に設けられた圧電材料層と、前記圧電材料層上に設けられた、各々が電気的に独立した複数の上部電極層と、を有し、
前記第１橋梁部および前記第２橋梁部が第１方向に延びており、
複数の前記上部電極層は、前記第１橋梁部の上方に配置された第１上部電極層および第２上部電極層を含み、
前記第１上部電極層は、前記第１方向における一側に配置され、前記第２上部電極層は、前記第１方向における他側に配置されている、発電素子。
【請求項２】
平面視で枠状に形成された支持枠体と、
前記支持枠体の内側に設けられた振動体と、
前記振動体を前記支持枠体に支持させる第１橋梁部および第２橋梁部と、
前記振動体の変位時に電荷を発生させる電荷発生素子と、を備え、
前記支持枠体は、前記振動体に対して第１の側に配置された第１枠体部分と、前記振動体に対して前記第１の側とは反対の第２の側に配置された第２枠体部分と、を有し、
前記第１橋梁部は、前記振動体と前記第１枠体部分とを連結し、
前記第２橋梁部は、前記振動体と前記第２枠体部分とを連結し、
前記電荷発生素子が、前記第１橋梁部上および前記第２橋梁部上に設けられた下部電極層と、前記下部電極層上に設けられた圧電材料層と、前記圧電材料層上に設けられた、各々が電気的に独立した複数の上部電極層と、を有し、
前記第１橋梁部および前記第２橋梁部が第１方向に延び、 
複数の前記上部電極層は、前記第１橋梁部の上方に配置された第１上部電極層および第２上部電極層と、前記第２橋梁部の上方に配置された第３上部電極層および第４上部電極層を含み、
前記第１上部電極層は、前記第１方向における一側に配置され、前記第２上部電極層は、前記第１方向における他側に配置されている、
前記第３上部電極層は、前記第１方向における一側に配置され、前記第４上部電極層は、前記第１方向における他側に配置されている、発電素子。
【請求項３】
前記電荷発生素子は、上下方向への外部振動が加えられた場合に電荷を発生可能である、請求項１または２に記載の発電素子。
【請求項４】
前記電荷発生素子は、前記第１方向への外部振動が加えられた場合に電荷を発生可能である、請求項３に記載の発電素子。
【請求項５】
前記振動体は、前記第１橋梁部に連結された第１重錘体と、前記第２橋梁部に連結された第２重錘体と、前記第１重錘体と前記第２重錘体とを連結した第３橋梁部と、を有し、  前記第１重錘体と前記第２重錘体とは、互いに離間している、請求項１〜４のいずれか一項に記載の発電素子。
【請求項６】
前記第１重錘体と前記第１橋梁部とに基づいて規定される共振系の共振周波数と、前記第２重錘体と前記第２橋梁部とに基づいて規定される共振系の共振周波数とが異なっている、請求項５に記載の発電素子。
【請求項７】
前記第１橋梁部の両側に前記第２重錘体および前記第２橋梁部がそれぞれ配置され、
前記第１橋梁部と前記第２橋梁部の各々との間に前記第３橋梁部がそれぞれ配置され,
前記第１重錘体は、前記第１橋梁部および前記第３橋梁部の各々に連結され、
前記第２重錘体は、対応する前記第２橋梁部および対応する前記第３橋梁部に連結され、
一方の前記第２重錘体と他方の前記第２重錘体は、互いに離間している、請求項５または６に記載の発電素子。
【請求項８】
前記第２橋梁部は、前記第１橋梁部に沿って延びており、
前記第３橋梁部は、前記第１橋梁部および前記第２橋梁部に沿って延びている、請求項７に記載の発電素子。
【請求項９】
一方の前記第２重錘体と対応する前記第２橋梁部とに基づいて規定される共振系の共振周波数と、他方の前記第２重錘体と対応する前記第２橋梁部とに基づいて規定される共振系の共振周波数とが同一である、請求項７または８に記載の発電素子。
【請求項１０】
前記第１橋梁部から、前記第１重錘体を支持する第１重錘体支持部が延び、
前記第１重錘体の前記第１重錘体支持部の側とは反対側に、第１追加重錘体が設けられている、請求項５〜９のいずれか一項に記載の発電素子。
【請求項１１】
前記第１追加重錘体は、前記支持枠体に当接可能に設けられた、前記第１重錘体の前記第１重錘体支持部の側への変位を規制する第１ストッパー部を有し、
前記第１ストッパー部は、前記振動体がニュートラル位置にあるときに、前記支持枠体に離間している、請求項１０に記載の発電素子。
【請求項１２】
前記第１重錘体から前記第１枠体部分に向かう方向に直交する方向における前記第１追加重錘体の両端部に、前記第１ストッパー部がそれぞれ配置されている、請求項１１に記載の発電素子。  
【請求項１３】
前記第１追加重錘体の前記第１ストッパー部は、平面視で、前記支持枠体の外縁部まで延びている、請求項１２に記載の発電素子。
【請求項１４】
前記第２橋梁部から、前記第２重錘体を支持する第２重錘体支持部が延び、
前記第２重錘体の前記第２重錘体支持部の側とは反対側に、第２追加重錘体が設けられている、請求項７〜９のいずれか一項に記載の発電素子。
【請求項１５】
前記第２追加重錘体は、一方の前記第２重錘体から他方の前記第２重錘体まで延びて両方の前記第２重錘体に支持されている、請求項１４に記載の発電素子。
【請求項１６】
前記第２追加重錘体は、前記支持枠体に当接可能に設けられた、前記第２重錘体の前記第２重錘体支持部の側への変位を規制する第２ストッパー部を有し、
前記第２ストッパー部は、前記振動体がニュートラル位置にあるときに、前記支持枠体に離間している、請求項１５に記載の発電素子。
【請求項１７】
前記支持枠体は、前記第１枠体部分と前記第１橋梁部との間に介在された突出部を有し、
前記突出部は、前記第２ストッパー部が当接可能な座部を含んでいる、請求項１６に記載の発電素子。
【請求項１８】
前記第２追加重錘体は、前記支持枠体に当接可能に設けられた、前記第２重錘体の前記第２重錘体支持部の側への変位を規制する第３ストッパー部を更に有し、
前記第３ストッパー部は、前記振動体がニュートラル位置にあるときに、前記支持枠体に離間している、請求項１６または１７に記載の発電素子。
【請求項１９】
前記第２重錘体から前記第２枠体部分に向かう方向に直交する方向における前記第２追加重錘体の両端部に、前記第３ストッパー部がそれぞれ配置されている、請求項１８に記載の発電素子。  
【請求項２０】
前記第２追加重錘体の前記第３ストッパー部は、平面視で、前記支持枠体の外縁部まで延びている、請求項１９に記載の発電素子。
【請求項２１】
前記第２橋梁部から、前記第２重錘体を支持する第２重錘体支持部が延び、
前記第２重錘体の前記第２重錘体支持部の側とは反対側に、第２追加重錘体が設けられている、請求項５または６に記載の発電素子。
【請求項２２】
前記電荷発生素子により発生した電荷に基づく電流を整流して電力を取り出す発電回路を更に備えた、請求項１〜２１のいずれか一項に記載の発電素子。